(57)【要約】【課題】フィルム材を操作性良好に取り出すことが可能であるとともに、複数枚のフィルム材がいっぺんにはがし取られるなどの不具合も防止することが可能なフィルム用容器の提供を目的とする。【解決手段】積み上げられたフィルム材１を収納する容器本体２と、容器本体に回動自在に連結され、当該容器本体を開閉する蓋体３と、蓋体に設けられ、かつフィルム材に粘着可能な粘着部４を有し、粘着部を最上部のフィルム材に当接させるバネ習性が与えられた弾性部材５と、積み上げられたフィルム材にその上方から当接され、摩擦力でフィルム材を押さえる押さえ部材６とを備えた。粘着部は凸状曲面で形成される。【選択図】図４
2007230570.tif 000002
【特許請求の範囲】
【請求項１】
積み上げられたフィルム材を収納する容器本体と、該容器本体に回動自在に連結され、当該容器本体を開閉する蓋体と、該蓋体に設けられ、かつ上記フィルム材に粘着可能な粘着部を有し、該粘着部を最上部の該フィルム材に当接させるバネ習性が与えられた弾性部材と、積み上げられた上記フィルム材にその上方から当接され、摩擦力で該フィルム材を押さえる押さえ部材とを備えたことを特徴とするフィルム用容器。
【請求項２】
前記粘着部は凸状曲面で形成されることを特徴とする請求項１に記載のフィルム用容器。
【発明の詳細な説明】
【技術分野】
【０００１】
本発明は、フィルム材を操作性良好に取り出すことが可能であるとともに、複数枚のフィルム材がいっぺんにはがし取られるなどの不具合も防止することが可能なフィルム用容器に関する。
【背景技術】
【０００２】
紙石鹸（フィルムソープ）や脂取り紙などのフィルム材を一枚ずつ取り出すことを可能にしたものとして、例えば特許文献１の「紙石鹸パッケージ」が知られている。この紙石鹸パッケージは、複数枚の紙石鹸を重ねて保持する中央保持部、中央保持部の互いに対向する端部にそれぞれ連設されかつ中央保持部の上にそれぞれ折り返して重ねるようになっている内側折曲片および外側折曲片から成り、内側折曲片の遊端側の内面に摩擦部材を設け、中央保持部の内側折曲片寄りの端部に紙石鹸の端部を固定して構成されている。使用時には、外側折曲片を開いた後、内側折曲片を紙石鹸上で滑らせる操作を行うようにし、これにより摩擦部材で１枚の紙石鹸を、重なり合う紙石鹸から引き離して、使用することができるようになっている。
【特許文献１】実開平３−６４４６号公報
【発明の開示】
【発明が解決しようとする課題】
【０００３】
背景技術にあっては、フィルム材である紙石鹸を取り出す操作として、外側折曲片を開く操作および内側折曲片を滑らせる操作の２回の操作が必要であるという課題があった。また、背景技術にあっては、折り畳む形式のパッケージであって、紙石鹸が常時外気に晒されるため、紙石鹸の湿潤が懸念される。紙石鹸などのフィルム材は湿潤すると、互いに貼り付くようになり、このため内側折曲片を滑らせると、いっぺんに複数枚の紙石鹸が剥がし取られてしまうなど、不都合が懸念される。
【０００４】
本発明は上記従来の課題に鑑みて創案されたものであって、フィルム材を操作性良好に取り出すことが可能であるとともに、複数枚のフィルム材がいっぺんにはがし取られるなどの不具合も防止することが可能なフィルム用容器を提供することを目的とする。
【課題を解決するための手段】
【０００５】
本発明にかかるフィルム用容器は、積み上げられたフィルム材を収納する容器本体と、該容器本体に回動自在に連結され、当該容器本体を開閉する蓋体と、該蓋体に設けられ、かつ上記フィルム材に粘着可能な粘着部を有し、該粘着部を最上部の該フィルム材に当接させるバネ習性が与えられた弾性部材と、積み上げられた上記フィルム材にその上方から当接され、摩擦力で該フィルム材を押さえる押さえ部材とを備えたことを特徴とする。
【０００６】
前記粘着部は凸状曲面で形成されることを特徴とする。
【発明の効果】
【０００７】
本発明にかかるフィルム用容器にあっては、フィルム材を操作性良好に取り出すことができるとともに、複数枚のフィルム材がいっぺんにはがし取られるなどの不具合も防止することができる。
【発明を実施するための最良の形態】
【０００８】
以下に、本発明にかかるフィルム用容器の好適な一実施形態を、添付図面を参照して詳細に説明する。本実施形態にかかるフィルム用容器は基本的には、図１〜図５に示すように、積み上げられたフィルム材１を収納する容器本体２と、容器本体２に回動自在に連結され、当該容器本体２を開閉する蓋体３と、蓋体３に設けられ、かつフィルム材１に粘着可能な粘着部４を有し、粘着部４を最上部のフィルム材１に当接させるバネ習性が与えられた弾性部材５と、積み上げられたフィルム材１にその上方から当接され、摩擦力でフィルム材１を押さえる押さえ部材６とを備えて構成される。粘着部４は凸状曲面７で形成される。
【０００９】
容器本体２は合成樹脂製で、底部２ａおよびこの底部２ａの外周縁から立ち上げて形成された環状周壁部２ｂ〜２ｅから構成され、環状周壁部２ｂ〜２ｅで取り囲んだ内方に、積層状態で積み上げられたフィルムソープや脂取り紙などのフィルム材１を収納する収納凹所８が形成される。図示例にあっては、容器本体２は平面外形輪郭が矩形状に形成され、環状周壁部２ｂ〜２ｅは前後左右の壁部から構成されている。しかしながら、容器本体２の平面外形輪郭は矩形状に限らず、多角形状や円形状であってもよい。従ってまた、収納凹所８の平面形状も、多角形状や円形状であってもよい。
【００１０】
蓋体３は合成樹脂製で、外周縁に厚肉な環状の縁部３ａが形成された平板状に形成される。この蓋体３と容器本体２とは、容器本体２の後壁部２ｃと蓋体３の後端位置の縁部３ａとに一体的に形成された折り曲げ可能なヒンジ部９を介して互いに結合され、このヒンジ部９により、蓋体３は容器本体２を開閉すべく、当該容器本体２に回動自在に連結される。また容器本体２および蓋体３には、容器本体２の前壁部２ｂおよび蓋体３の前端位置の縁部３ａとの間にフック１０が設けられる。フック１０は、蓋体３の縁部３ａから垂下形成された垂下片１１に形成された係合突起１２と、容器本体２の前壁部２ｂに垂下片１１を収納可能に窪ませて形成された凹部１３に突出形成され、係合突起１２と係脱自在に係合する係合凸部１４とから構成される。図示例にあっては、蓋体３は平面矩形状に形成されているが、容器本体２の様々な平面外形輪郭に合わせて多角形状や円形状に形成してもよい。
【００１１】
弾性部材５は、合成樹脂製や金属製のたわみ変形可能な板状であって、容器本体２の収納凹所８に面する蓋体３の裏面に前後方向に沿って設けられる。この弾性部材５は、その長さ方向に断面凸状に湾曲形成され、蓋体３の裏面に凸面側が面し、凹面側が収納凹所８側に面するようにして、蓋体３の裏面に形成された凹部３ｂに嵌め込んで配設され、基端５ａとなるその長さ方向後端が蓋体３後部に対し、超音波接着など各種接着法で接合されて、当該弾性部材５の弾性により変位可能な自由端５ｂとなる前端が容器本体３の前壁２ｂ側で収納凹所８内方へ向かうバネ習性が与えられて、蓋体３に取り付け支持される。
【００１２】
そしてこの弾性部材５の自由端５ｂには、これより収納凹所８に向けて一体的に突出させて、収納凹所８内のフィルム材１に粘着可能な粘着部４が形成される。粘着部４は、突起４ａと、突起４ａ表面に形成される粘着層４ｂとから構成される。粘着層４ｂは突起４ａに、一般的な粘着剤を塗布したり、両面テープなどの周知の粘着剤シートを貼り付けるなどして構成される。図示例にあっては、粘着部４は弾性部材５の幅方向ほぼ中央に部分的に形成されているが、全幅にわたって形成してもよい。従って、弾性部材５に設定されたバネ習性により、粘着部４は収納凹所８内の最上部のフィルム材１に当接可能とされる。図示例にあっては、弾性部材５は幅広な板状に形成されているが、基端５ａから自由端５ｂに延びる軸体状であってもよい。
【００１３】
粘着部４をフィルム材１に当接させる弾性部材５は、収納凹所８内に収納されているフィルム材１の収納量に応じてそのたわみ変形量が変化するため、これに対応させて、本実施形態にあっては図５に示すように、フィルム材１の量が多いとき（図５（ａ）参照）と、少ないとき（図５（ｂ）参照）とで弾性部材５のたわみ変形の程度が変化しても、その変化に対応して粘着部４が常にフィルム材１に面しほぼ一定の接触圧力で接触するように、粘着部４の表面が凸状曲面７で形成される。この凸状曲面７は好ましくは、弾性部材５の長さ方向に長く形成することが好ましい。
【００１４】
押さえ部材６は板状であって、脚部６ａと押さえ部６ｂとから断面Ｌ字形に形成される。押さえ部材６は、脚部６ａ下端と押さえ部６ｂの前端６ｃが容器本体２の底部２ａに当接するように収納凹所８内に装着される。そして、収納凹所８内にフィルム材１が収納された状態では、脚部６ａは、フィルム材１と容器本体２の後壁２ｃとの間に位置され、また押さえ部６ｂは積み上げられたフィルム材１にその上方から当接される。そして、この押さえ部材６の当接による摩擦力で、フィルム材１が押さえられる。
【００１５】
脚部６ａの高さは、押さえ部６の前端６ｃのみがフィルム材１に当接するように、収納凹所８内に収納されるフィルム材１の積層高さよりも高く設定することが好ましいが、押さえ部６ｂ全体がフィルム材１に当接するような高さ寸法の設定であってもよい。また、押さえ部６ｂの前端６ｃがフィルム材１に当接する位置は、弾性部材５の粘着部４のフィルム材１に対する当接を妨げないように、弾性部材５の自由端５ｂ位置よりも後方に設定される。この押さえ部材６は、収納凹所８内のフィルム材１の収納量の増減に応じて押さえ部６ｂの前端６ｃが上下方向に移動できるように、脚部６ａ下端を支点として、収納凹所８内で上下方向に揺動自在に設けられる。
【００１６】
さらに本実施形態にあっては、押さえ部材６と容器本体２との間には、押さえ部材６の上下揺動移動を案内するために案内手段が設けられる。案内手段は、押さえ部６ｂの左右側縁に前後一対で形成されたスライド突起１５と、容器本体２の左右壁部２ｄ，２ｅに形成され、これらスライド突起１５をスライド自在かつ係脱自在に収納する前後一対の溝部１６ａ，１６ｂとから構成される。前方の溝部１６ａは、収納凹所８内に一杯に収納されたフィルム材１がなくなるまで広い揺動角度範囲で上下揺動移動する押さえ部６ｂの前端６ｃ側を案内するために、容器本体２の底部２ａから左右壁部２ｄ，２ｅの上端近傍に達する高さで形成される。後方の溝部１６ｂは、押さえ部６ｂの前端６ｃに比べて揺動角度範囲の狭い押さえ部６ｂ後方の揺動範囲に対応させて、左右壁部２ｄ，２ｅの高さ方向中途部からその上端近傍に達する高さで形成される。また、スライド突起１５は、フィルム材１の追加を容易化するために押さえ部材６を収納凹所８から取り外すことができるように、溝部１６ａ，１６ｂに係脱自在に係合される。
【００１７】
本実施形態にかかるフィルム用容器の作用について説明すると、使用前の蓋体３を閉じた状態では、容器本体２の収納凹所８内に収納されたフィルム材１に粘着部４を当接させるバネ習性が与えられた弾性部材５により、粘着部４が最上部のフィルム材１に粘着している。またこの際、押さえ部材６の押さえ部６ｂの前端６ｃが、積み上げられているフィルム材１にその上方から当接して、その重量と当接に伴う摩擦力でフィルム材１を押さえ込んでいる。
【００１８】
フィルム材１を取り出すためにフック１０を解除し、蓋体３をヒンジ部９周りに回動させて容器本体２を開放すると、蓋体３に追随して弾性部材５がヒンジ部９周りに上方へ向かって回動する。この弾性部材５の上方への回動により、粘着部４が最上部のフィルム材１を引き上げる。この際、収納されているフィルム材１は、これに当接している押さえ部材６によって上方から押さえ込まれていて、押さえ部材６の摩擦力を超える弾性部材５の引き上げ力が作用する最上部の一枚のフィルム材１のみが他のフィルム材１を残して押さえ部材６の下から引き出される。使用者はこの引き出された一枚のフィルム材１を取り出して使用する。
【００１９】
フィルム材１を続けてさらに取り出す際には、容器本体２を閉じる必要はないが、蓋体３を下方へ回動させる。これにより、弾性部材５の自由端５ｂが収納凹所８に進入して粘着部４が最上部のフィルム材１に粘着するので、その後蓋体３を上方へ回動させれば、上記と同様にして一枚のフィルム材１を引き出すことができる。使用後は、蓋体３を閉じれば、粘着部４が最上部のフィルム材１に粘着した状態となり、再度使用するときにも、容器本体２を開放する操作で一枚のフィルム材１を取り出すことができる。フィルム材１を追加する際には、容器本体２を開いて押さえ部材６を取り外し、収納凹所８内にフィルム材１を詰め、その後スライド突起１５を溝部１６ａ，１６ｂに係合しつつ押さえ部材６を収納凹所８内に装着すればよい。その後は、蓋体３の閉じ操作を行うことで、随時フィルム材１を取り出すことができる。
【００２０】
以上説明した本実施形態にかかるフィルム用容器にあっては、蓋体３の往復回動操作だけでフィルム材１を一枚ずつ取り出すことができ、操作性を向上することができる。また、押さえ部材６の摩擦力でフィルム材１を押さえた状態で、最上部のフィルム材１に粘着部４を当接させ、弾性部材５の上方回動作用によって取り出しを行うようにしたので、複数枚のフィルム材１がいっぺんに取り出されるという不具合を防止することができる。さらに、粘着部４をフィルム材１に当接させる弾性部材５は、フィルム材１の収納量の増減に従ってそのたわみ変形の程度が変化するが、粘着部４を凸状曲面７で形成したことにより、粘着部４が常にフィルム材１に面してほぼ一定の粘着状態を確保することができ、確実にフィルム材１を引き出すことができる。押さえ部材６については、脚部６ａと押さえ部６ｂとをヒンジ結合してこのヒンジ結合部分を基点として押さえ部６ｂを揺動させるように構成してもよい。
【図面の簡単な説明】
【００２１】
【図１】本発明にかかるフィルム用容器の好適な一実施形態を示す分解斜視図である。
【図２】図１のフィルム用容器の容器本体を閉じた状態を示す斜視図である。
【図３】図１のフィルム用容器の容器本体を閉じた状態の側断面図である。
【図４】図１のフィルム用容器の容器本体を開いていく過程を示す側断面図である。
【図５】図１のフィルム用容器内のフィルム材量に応じた粘着部の接触状態を説明する説明図である。
【符号の説明】
【００２２】
１  フィルム材
２  容器本体
３  蓋体
４  粘着部
５  弾性部材
６  押さえ部材
７  凸状曲面
【図１】
2007230570.tif 000003
【図２】
2007230570.tif 000004
【図３】
2007230570.tif 000005
【図４】
2007230570.tif 000006
【図５】
2007230570.tif 000007